(57)【特許請求の範囲】
【請求項１】
ユーザ機器（以下、ＵＥ）であって、
コンピュータ実行可能命令が具現化された、１または複数の非一時的なコンピュータ可読媒体と、
１または複数の前記非一時的なコンピュータ可読媒体に接続され、前記コンピュータ実行可能命令を実行するように構成された、少なくとも１つのプロセッサと、を有し、
前記コンピュータ実行可能命令は、
信号無線ベアラ３（以下、ＳＲＢ３）設定およびサービスデータ適応プロトコル（ＳＤＡＰ）設定を含む第１の無線リソース制御（以下、ＲＲＣ）接続再設定メッセージを、マスターノードから受信すること、
前記受信することにおいて、前記マスターノードは、ノード間ＲＲＣメッセージを２次ノードから受信するように、および、該ノード間ＲＲＣメッセージを前記第１のＲＲＣ接続再設定メッセージ内にカプセル化するように構成されており、前記ノード間ＲＲＣメッセージは、前記ＳＲＢ３設定および前記ＳＤＡＰ設定を含み、
前記第１のＲＲＣ接続再設定メッセージに応じて前記２次ノードを追加すること、および、
ＲＲＣ接続再設定完了メッセージを、ＳＲＢ３を介して、前記２次ノードに送信すること、
を指示する命令である、ＵＥ。
【請求項２】
少なくとも１つの前記プロセッサは、さらに、
ＲＲＣ接続要求メッセージおよびＲＲＣ接続再開要求メッセージのうちの１つを介して非明示的追加要求を前記マスターノードに送信すること、を指示する前記コンピュータ実行可能命令を実行するように構成されている、請求項１に記載のＵＥ。
【請求項３】
少なくとも１つの前記プロセッサは、さらに、
ＲＲＣ接続開始メッセージおよびＲＲＣ接続再開メッセージのうちの１つを介して非明示的追加応答を前記マスターノードから受信すること、
を指示する前記コンピュータ実行可能命令を実行するように構成されている、請求項１に記載のＵＥ。
【請求項４】
少なくとも１つの前記プロセッサは、さらに、
少なくとも１つの候補２次ノードを示し、セル識別情報（以下、ＩＤ）、ゾーンＩＤおよびエリアＩＤのうちの少なくとも１つを有するセル選択結果を、第１のＲＲＣメッセージを介して、前記マスターノードに報告すること、
を指示する前記コンピュータ実行可能命令を実行するように構成されている、請求項１に記載のＵＥ。
【請求項５】
少なくとも１つの前記プロセッサは、さらに、
前記セル選択結果における報告セルＩＤ最大数、前記セル選択結果における報告ゾーンＩＤ最大数、および、前記セル選択結果における報告エリアＩＤ最大数のうちの少なくともいずれか１つを示す非明示的追加応答を、第２のＲＲＣメッセージを介して、前記マスターノードから受信すること、
を指示する前記コンピュータ実行可能命令を実行するように構成されている、請求項４に記載のＵＥ。
【請求項６】
少なくとも１つの前記プロセッサは、さらに、
前記ＵＥがサポートすることができる２次ノードの最大数を示すＵＥ性能メッセージを、前記マスターノードに送信すること、
を指示する前記コンピュータ実行可能命令を実行するように構成されている、請求項１に記載のＵＥ。
【請求項７】
前記ＲＲＣ接続再設定完了メッセージは、前記２次ノードからの第２のＲＲＣ接続再設定メッセージに応じて送信される、請求項１に記載のＵＥ。
【請求項８】
基地局であって、
コンピュータ実行可能命令が具現化された、１または複数の非一時的なコンピュータ可読媒体と、
１または複数の前記非一時的なコンピュータ可読媒体に接続され、前記コンピュータ実行可能命令を実行するように構成された、少なくとも１つのプロセッサと、を有し、
前記コンピュータ実行可能命令は、
２次ノード追加要求を２次ノードに送信すること、
信号無線ベアラ３（ＳＲＢ３）設定およびサービスデータ適応プロトコル（ＳＤＡＰ）設定を含むノード間ＲＲＣメッセージを前記２次ノードから受信すること、
前記ノード間ＲＲＣメッセージをＲＲＣ接続再設定メッセージ内にカプセル化すること、および、
前記ＲＲＣ接続再設定メッセージをＵＥに送信すること、
を指示する命令である、基地局。
【請求項９】
前記２次ノード追加要求は、ＵＥの識別情報（ＩＤ）を含む、請求項８に記載の基地局。
【請求項１０】
少なくとも１つの前記プロセッサは、さらに、
前記ＵＥから、ＲＲＣ接続要求メッセージおよびＲＲＣ接続再開要求メッセージのうちの１つを介して非明示的追加要求を受信すること、
を指示する前記コンピュータ実行可能命令を実行するように構成されている、請求項８に記載の基地局。
【請求項１１】
少なくとも１つの前記プロセッサは、さらに、
前記ＵＥに、ＲＲＣ接続開始メッセージおよびＲＲＣ接続再開メッセージのうちの１つを介して非明示的追加応答を送信すること、
を指示する前記コンピュータ実行可能命令を実行するように構成されている、請求項８に記載の基地局。
【請求項１２】
少なくとも１つの前記プロセッサは、さらに、
少なくとも１つの候補２次ノードを示し、セルＩＤ、ゾーンＩＤおよびエリアＩＤのうちの少なくとも１つを有するセル選択結果を、第１のＲＲＣメッセージを介して前記ＵＥから受信すること、
を指示する前記コンピュータ実行可能命令を実行するように構成されている、請求項８に記載の基地局。
【請求項１３】
少なくとも１つの前記プロセッサは、さらに、
前記セル選択結果における報告セルＩＤ最大数、前記セル選択結果における報告ゾーンＩＤ最大数、および、前記セル選択結果における報告エリアＩＤ最大数のうちの少なくともいずれか１つを示す非明示的追加応答を、第２のＲＲＣメッセージを介して、前記ＵＥに送信すること、
を指示する前記コンピュータ実行可能命令を実行するように構成されている、請求項１２に記載の基地局。
【請求項１４】
少なくとも１つの前記プロセッサは、さらに、
前記ＵＥがサポートすることができる２次ノードの最大数を示すＵＥ性能メッセージを、前記ＵＥから受信すること、
を指示する前記コンピュータ実行可能命令を実行するように構成されている、請求項８に記載の基地局。
【請求項１５】
ＵＥが、信号無線ベアラ３（ＳＲＢ３）設定およびサービスデータ適応プロトコル（ＳＤＡＰ）設定を含む第１の無線リソース制御（ＲＲＣ）接続再設定メッセージを、マスターノードから受信するステップと、
前記受信するステップにおいて、前記マスターノードは、ノード間ＲＲＣメッセージを２次ノードから受信するように、そして、該ノード間ＲＲＣメッセージを前記第１のＲＲＣ接続再設定メッセージ内にカプセル化するように構成されており、前記ノード間ＲＲＣメッセージは、前記ＳＲＢ３設定および前記ＳＤＡＰ設定を含み、
前記ＵＥが、前記第１のＲＲＣ接続再設定メッセージに応じて前記２次ノードを追加するステップと、
前記ＵＥが、ＲＲＣ接続再設定完了メッセージを、ＳＲＢ３を介して、前記２次ノードに送信するステップと、を含む、方法。
【請求項１６】
前記ＵＥが、ＲＲＣ接続要求メッセージおよびＲＲＣ接続再開要求メッセージのうちの１つを介して非明示的追加要求を前記マスターノードに送信するステップをさらに含む、請求項１５に記載の方法。
【請求項１７】
前記ＵＥが、ＲＲＣ接続開始メッセージおよびＲＲＣ接続再開メッセージのうちの１つを介して非明示的追加応答を前記マスターノードから受信するステップをさらに含む、請求項１５に記載の方法。
【請求項１８】
前記ＵＥが、少なくとも１つの候補２次ノードを示し、セルＩＤ、ゾーンＩＤおよびエリアＩＤのうちの少なくとも１つを有するセル選択結果を、第１のＲＲＣメッセージを介して、前記マスターノードに報告するステップをさらに含む、請求項１５に記載の方法。
【請求項１９】
前記ＵＥが、前記セル選択結果における報告セルＩＤ最大数、前記セル選択結果における報告ゾーンＩＤ最大数、および、前記セル選択結果における報告エリアＩＤ最大数のうちの少なくともいずれか１つを示す非明示的追加応答を、第２のＲＲＣメッセージを介して、前記マスターノードから受信するステップをさらに含む、請求項１８に記載の方法。
【請求項２０】
前記ＵＥが、該ＵＥがサポートすることができる２次ノードの最大数を示すＵＥ性能メッセージを、前記マスターノードに送信するステップをさらに含む、請求項１５に記載の方法。
【請求項２１】
前記ＲＲＣ接続再設定完了メッセージは、前記２次ノードからの第２のＲＲＣ接続再設定メッセージに応じて送信される、請求項１５に記載の方法。
【発明の詳細な説明】
【技術分野】
【０００１】
（関連出願とのクロスレファレンス）
本出願は、２０１７年７月２７日に出願された米国特許仮出願第６２／５３７，７０２号、発明の名称「ＭＥＴＨＯＤＳ  ＡＮＤ  ＳＹＳＴＥＭＳ  ＦＯＲ  ＳＥＣＯＮＤＡＲＹ  ＮＯＤＥ  ＢＬＩＮＤ  ＡＤＤＩＴＩＯＮ」、代理人整理番号ＵＳ７１６０５（以下、「ＵＳ７１６０５出願」と呼ぶ）の利益および優先権を主張する。ＵＳ７１６０５出願の開示は、参照により本出願に完全に組み込まれる。
【０００２】
本開示は、概して、無線通信技術に関し、とりわけ、２次ノードを追加するための方法およびその装置に関する。
【背景技術】
【０００３】
例えば、第５世代（５Ｇ）新無線（ＮＲ；New Radio）などの、次世代の無線ネットワークにおいて、二重接続（ＤＣ；dual-connectivity）を含む多重接続（ＭＣ；multi- connectivity）は、より多くの容量、データ、およびサービスをサポートすることが想定される。多重接続を用いて設定されたユーザ機器（ＵＥ；user equipment）は、アンカーとしての１つのマスターノードと、１つまたは複数の２次ノードとを有していてもよい。例えば、多重接続におけるＵＥは、データ配信のために、１つのマスタセル群（ＭＣＧ；master cell group）および１つまたは複数の２次セル群（ＳＣＧ；secondary cell group）を用いて設定され得る。各群は、１または複数のセルによって形成されてもよい。全てのセル群は、必ずしも同じタイプである必要はない。例えば、１つは、ＬＴＥ（Long Term Evolution）またはｅＬＴＥ（evolved LTE）の群であって、一方、他の１つは、ＮＲセル群であってもよい。コアネットワークに関して、例えば、Ｅ−ＵＴＲＡ（Evolved Universal Terrestrial Radio Access）を採用すると、Ｅ−ＵＴＲＡが接続するコアネットワークは、ＥＰＣ（Evolved Packet Core）またはＮＧＣ（NextGen Core）または５Ｇコアネットワーク（５ＧＣ；5G Core Network）とすることができる。ｅＬＴＥは、５ＧＣに接続されたＬＴＥとしても知られている。ＮＲ−ＮＲ  ＤＣの場合、および、ＭＲ（Multi−RAT）−ＤＣの場合（例えば、ＮＲ−ＮＲ  ＤＣ、ＥＮ（E−UTRAN New Radio）−ＤＣ、または、ＮＥ（New Radio E−UTRAN）−ＤＣの場合）、各ネットワークノードは、それ自体の無線リソース制御（ＲＲＣ；Radio Resource Control）エンティティを有することができるが、ＵＥのＲＲＣエンティティは、マスターノードのＲＲＣエンティティに従ってもよい。
【０００４】
多重接続におけるＵＥは、マスターノードとの接続、および、２次ノードとの接続の同時の接続を維持することができるが、場合によっては、ＵＥは、セルがＵＥの２次ノードとして適している場合であっても、該セルに滞在（camp）しないことがある。
【０００５】
したがって、当技術分野では、多重接続のために２次ノードを追加する機構を改善することが必要とされている。
【発明の概要】
【０００６】
本開示は、２次ノードを追加するための方法およびその装置を対象とする。
【図面の簡単な説明】
【０００７】
例示的な開示の態様は、添付の図面と共に読まれるとき、以下の詳細な説明から最も良く理解される。様々な特徴は、一定の縮尺で描かれておらず、様々な特徴の寸法は議論を明確にするために任意に増減されてもよい。
【図１Ａ】二種類の多重接続のシナリオを示す概略図である。
【図１Ｂ】二種類の多重接続のシナリオを示す概略図である。
【図２】本開示の典型的な実施形態に係る、２次ノードを非明示的に追加する方法を示すフローチャートである。
【図３】本開示の典型的な実施形態における、２次ノードを非明示的に追加する方法を示すフローチャートである。
【図４】本開示の典型的な実施形態における、２次ノードの非明示的追加手続きを説明するための、メッセージの流れを示すシーケンス図である。
【図５】本開示における具体的な実施形態における、ＵＥとマスターノードとの間で実施される処理を説明するための、メッセージの流れを示すシーケンス図である。
【図６】本開示における具体的な実施形態における、ＵＥとマスターノードとの間で実施される処理を説明するための、メッセージの流れを示すシーケンス図である。
【図７】本開示における具体的な実施形態における、非明示的追加の要求および応答の手続きを説明するための、メッセージの流れを示すシーケンス図である。
【図８】本開示における具体的な実施形態における、非明示的追加の要求および応答の手続きを説明するための、メッセージの流れを示すシーケンス図である。
【図９】本開示における具体的な実施形態における、ＵＥとマスターノードと２次ノードとの間で実施される処理を説明するための、メッセージの流れを示すシーケンス図である。
【図１０】本開示における具体的な実施形態における、通常の２次ノードの追加手続きを説明するための、メッセージの流れを示すシーケンス図である。
【図１１】本出願のある具体的な実施形態に係る、無線通信装置を示すブロック図である。
【発明を実施するための形態】
【０００８】
以下の説明は、本開示における例示的な実施形態に関連する特定の情報を含む。本開示における図面およびそれらの添付の詳細な説明は、単に例示的な実施形態に向けられている。しかし、本開示は、これらの例示的な実施形態のみに限定されるものではない。本開示の他の変形および実施形態は、当業者には想起されるであろう。特に断らない限り、図中の同様のまたは対応する要素は、同様のまたは対応する参照番号によって示されてもよい。さらに、本開示における図面および例示は、概して、一定の縮尺ではなく、実際の相対的な寸法に対応することを意図していない。
【０００９】
一貫性および理解の容易さのために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００１０】
「１つの実施態様」、「ある実施形態」、「典型的な実施形態」、「様々な実施形態」、「いくつかの実施態様」、「本願の各実施形態」などの語句が用いられるが、このように記載された本願の１または複数の実施形態は、特定の特徴、構造、または、特色を含み得るが、本願のすべての可能な実施形態は、上述の特定の特徴、構造、または、特色を必ず含むとは限らない。また、「１つの実施態様では」または「典型的な実施形態では」という語句を繰り返し使用するが、「ある実施形態」とは、同じ実施態様を指すこともあるが、異なる実施形態を指すことがある。さらに、「本願」に関連して、「各実施形態」などの語句のいずれかを使用したからといって、それが、本願のすべての実施形態が上述の特定の特徴、構造、または、特色を含んでいなければならないという意味には決してならない。そうではなく、「各実施形態」などの語句の使用は、本願の少なくともいくつかの実施形態が上述の特定の特徴、構造、または、特色を含んでいるのだと解釈されるべきである。「結合された(coupled)」という用語は、直接的であろうと、介在する構成要素を介して間接的であろうと、接続されたものとして定義され、必ずしも物理的接続に限定されない。「〜を備える（comprising）」という用語が使用される場合、[〜を含む（include）が、必ずしもこれに限定されない]ことを意味する。特に、そのように記載された組み合わせ、グループ、シリーズ、および均等物におけるオープンエンドの包含またはメンバーシップを示す。
【００１１】
さらに、説明および非限定の目的のために、機能エンティティ、技法、プロトコル、標準などの特定の詳細が、説明される技術の理解を提供するために記載される。他の例では、不必要な詳細で説明を不明瞭にしないように、周知の方法、技術、システム、アーキテクチャなどの詳細な説明は省略される。
【００１２】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアのインプリメンテーションは、例えばメモリまたは他の種類の記憶装置などのコンピュータ読み取り可能な媒体に記憶されたコンピュータ実行可能命令を含んでもよい。例えば、通信処理能力を有する１つ以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイでできていてもよい、および／または、１つ以上のデジタルシグナルプロセッサ（ＤＳＰ）を用いてもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００１３】
コンピュータ読み取り可能な媒体としては、ランダムアクセスメモリ（ＲＡＭ）、読取り専用メモリ（ＲＯＭ）、消去可能プログラマブル読取り専用メモリ（ＥＰＲＯＭ）、電気的消去可能プログラマブル読取り専用メモリ（ＥＥＰＲＯＭ、登録商標））、フラッシュメモリ、コンパクトディスク読取り専用メモリ（ＣＤ  ＲＯＭ）、磁気カセット、磁気テープ、磁気ディスク記憶装置、またはコンピュータ読み取り可能な命令を記憶することができる任意の他の同等の媒体が挙げられるが、これらに限定されない。
【００１４】
無線通信ネットワークアーキテクチャ（例えば、ロングタームエボリューション（ＬＴＥ）システム、ＬＴＥアドバンスト（ＬＴＥ−Ａ）システム、またはＬＴＥアドバンストＰｒｏシステム）は、少なくとも１つの基地局、少なくとも１つのユーザ装置（ＵＥ）、およびネットワークへの接続を提供する１つ以上の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセス（Ｅ−ＵＴＲＡ）ネットワーク、次世代コア（ＮＧＣ）、５Ｇコアネットワーク（５ＧＣ）またはインターネット）と、上記基地局によって設定された無線アクセスネットワーク（ＲＡＮ）を通じて、通信する。
【００１５】
本出願において、ＵＥとしては、移動局、携帯端末または携帯機器、ユーザ通信無線端末が挙げられるが、これらに限定されないことに留意されたい。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つ以上のセルと、電波インタフェース上で、信号を送受信するよう構成されている。
【００１６】
基地局は、ＵＭＴＳにおけるようなノードＢ（ＮＢ）、ＬＴＥ−Ａにおけるような発展型ノードＢ（ｅＮＢ）、ＵＭＴＳにおけるような無線ネットワークコントローラ（ＲＮＣ）、ＧＳＭ／ＧＥＲＡＮにおけるような基地局コントローラ（ＢＳＣ）、５ＧＣに関連するＥ−ＵＴＲＡ基地局におけるようなｎｇ−ｅＮＢ、５Ｇ−ＡＮにおけるような次世代ノードＢ（ｇＮＢ）、およびセル内の無線通信を制御し、無線リソースを管理することができる任意の他の装置を含むことができるが、これらに限定されない。基地局は、ネットワークへの無線インタフェースを介して１つまたは複数のＵＥにサービスを提供するように接続することができる。
【００１７】
基地局は、以下の無線アクセス技術（ＲＡＴ）のうち少なくとも１つに従って、通信サービスを提供するように構成されてもよい。上記無線アクセス技術（ＲＡＴ）としては、マイクロ波アクセスのための世界相互運用性（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線システム（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセスシステム（ＨＳＰＡ）、ＬＴＥ、ＬＴＥ−Ａ、ｅＬＴＥ（ｅｖｏｌｖｅｄ  ＬＴＥ）、ニューラジオ（ＮＲ、５Ｇと称されることが多い）および／またはＬＴＥ−Ａ  Ｐｒｏが挙げられる。しかし、本出願の範囲は、上述のプロトコルに限定すべきではない。
【００１８】
基地局は、無線アクセスネットワークを形成する複数のセルを使用して、特定の地理的エリアに無線カバレッジを提供するように動作可能である。基地局は、セルの動作をサポートする。各セルは、その無線カバレッジ内の少なくとも１つのＵＥにサービスを提供するように動作可能である。より具体的には、各セル（しばしばサービングセルと称される）は、その無線カバレッジ内の１つまたは複数のＵＥにサービスを提供する（例えば、各セルは、ダウンリンクおよび任意でアップリンクパケット送信のために、その無線カバレッジ内の少なくとも１つのＵＥにダウンリンクおよび任意でアップリンクリソースをスケジューリングする）。基地局は、複数のセルを介して無線通信システム内の１つまたは複数のＵＥと通信することができる。セルは、近接サービス（ＰｒｏＳｅ）をサポートするために、サイドリンク（ＳＬ）リソースを割り当ててもよい。各セルは、他のセルと重複するカバレージ領域を有してもよい。
【００１９】
上述のように、ＮＲのフレーム構造は、高信頼性、高データ速度、および低レイテンシ要件を満たしながら、拡張モバイルブロードバンド（ｅＭＢＢ）、大規模マシンタイプ通信（ｍＭＴＣ）、超信頼通信、および低レイテンシ通信（ＵＲＬＬＣ）などの様々な次世代（例えば、５Ｇ）通信要件に対応するためのフレキシブルな構成をサポートする。３ＧＰＰで合意された直交周波数分割多重（ＯＦＤＭ）技術は、ＮＲ波形のための基準として機能してもよい。アダプティブサブキャリアスペーシング、チャネル帯域幅、およびサイクリックプレフィックス（ＣＰ）などのスケーラブルＯＦＤＭ数秘学も使用してもよい。さらに、ＮＲには（１）低密度パリティ検査（ＬＤＰＣ）符号および（２）ポーラ符号の２つの符号化方式が考えられる。符号化スキーム適応は、チャネル条件および／またはサービスアプリケーションに基づいて構成され得る。
【００２０】
さらに、単一のＮＲフレームの送信時間間隔ＴＸ、ダウンリンク（ＤＬ）送信データ、ガード期間、およびアップリンク（ＵＬ）送信データが少なくとも含まれるべきであり、ＤＬ送信データ、ガード期間、ＵＬ送信データのそれぞれの部分もまた、例えば、ＮＲのネットワークダイナミクスに基づいて構成可能であるべきであると考えられる。さらに、サイドリンクリソースは、ＰｒｏＳｅサービスをサポートするためにＮＲフレームで提供されてもよい。
【００２１】
図１Ａおよび図１Ｂは、二種類の多重接続についてのシナリオを示す概略図である。表現を簡単にするために、図１Ａおよび図１Ｂにおいては、ＵＥ１０２、セルＮ１、および、セルＮ２のみを示す。しかしながら、当業者にすでに通常よく知られているように、上述の多重接続の各シナリオは、複数のＵＥおよび複数のセルを含むように拡張されてもよい。一例としては、セルＮ１が、セルＮ２のように機能する複数のセルと協働することを考慮することによって、多重接続が確立されてもよい。
【００２２】
図１Ａにおいて、セルＮ１による通信可能エリアは、セルＮ２による通信可能エリアと部分的に重なっている。図１Ｂにおいては、セルＮ１による通信可能なエリアは、セルＮ１による通信可能エリアを包含する。セルＮ１とセルＮ２とは、同じ無線アクセス技術（ＲＡＴ；Radio Access Tecnologies）に属していてもよいし、異なるＲＡＴに属していてもよい。例えば、セルＮ１およびセルＮ２は、ＮＲのＲＡＴを用いたＮＲセルであってよい。他の例としては、セルＮ１とセルＮ２とには、（ｅ）ＬＴＥのように、異なる種類のＲＡＴが適用されてもよい。
【００２３】
本実施形態においては、ＵＥ１０２は、マスターノードとしてのセルＮ１にアクセスしてもよい。セルＮ１は、ＵＥのサービス要求を補助するための２次ノードとして、セルＮ２を追加してもよい。描写のしやすさのために、マスターノードがセルＮ１として、２次ノードがセルＮ２として、それぞれ例示されている。しかし、本開示はここに示された例に限定されないと理解されるべきである。例えば、マスターノードおよび２次ノードは、それぞれ複数のセルを含んでいてもよい。
【００２４】
ＵＥ１０２がセルＮ２に直接滞在（camp）しない理由の１つは、ＵＥ１０２とセルＮ２との間の信号の質が良好であって、セルＮ２がＵＥ１０２からのサービス要求に応えられるけれども、ＵＥ１０２がセルＮ２から閉め出されているからである、ということが考えられる。よって、ＵＥ１０２は、セルＮ２よりもむしろ、マスターノードとしての他のセル（例えば、セルＮ１）と、ＲＲＣ接続を確立してもよい。他の理由としては、図１Ｂに示されたように、セルＮ１による通信可能エリアがセルＮ２による通信可能エリアよりも広いからである、ということが考えられる。
【００２５】
図２は、本開示の典型的な実施形態に係る、２次ノードを非明示的に追加（以下、非明示的追加（blind addition）と略称する）する方法を示すフローチャートである。通常の２次ノードの追加（以下、通常追加と略称する）の方法と比較して、非明示的追加は、２次ノードを追加する、他のタイプの手続きである。この手続きにおいては、マスターノードは、２次ノードを選択するための基礎となる特定の測定を実行するようにＵＥを構成することなく、該ＵＥのために、１または複数の２次ノードを追加することができる。
【００２６】
当業者であれば、図示された各処理の順序は例証にすぎず、これらの各処理の順序は、本開示に応じて変更されてもよいことを理解するであろう。本開示から逸脱しない範囲で、処理が追加されたり、減らされたりしてもよい。さらに、説明の便宜上、各実施形態に現れる、同じラベルが付与された各要素は、同一（もしくは類似）の要素であるとし、それらの要素の説明は、前述の説明のとおりである。
【００２７】
処理２０２においては、ＵＥ（例えば、図１Ａ／図１Ｂにおける、ＵＥ１０２）は、ＲＲＣ接続の再設定メッセージをマスターノード（例えば、図１Ａ／図１Ｂにおける、セルＮ１）から受信してもよい。
【００２８】
一実施形態では、ＲＲＣ接続再設定メッセージは、２次ノード（例えば、図１Ａ／図１Ｂにおける、セルＮ２）の設定情報、および、２次ノードにアクセスするために必要な情報の少なくとも１つを含んでいてもよい。一例として、ＲＲＣ接続再設定メッセージは、以下に示されるもののうちの少なくとも１つを含んでいてもよい。すなわち、セル識別情報（ＩＤ）、ビーム設定、ランダムアクセスチャンネル（ＲＡＣＨ；Random Access Channel）リソースとチャンネル状態情報参照信号（ＣＳＩ−ＲＳ；Channel State Information-Reference Signal）設定との間の関連性、ＲＡＣＨリソースと新無線同期信号（ＮＲ−ＳＳ；New Radio-Synchronization Signal）設定との関連性、信号伝達無線ベアラ（ＳＲＢ；Signaling Radio Bearer）設定、データ無線ベアラ（ＤＲＢ；Data Radio Bearer）設定、スケジューリング要求（ＳＲ；Scheduling Request）設定、および、セルＮ２のアクセスカテゴリの標識のうちの少なくとも１つが含まれる。ある実施形態においては、ＳＲＢ設定は、ＳＲＢ３設定を含んでいてもよい。ＳＲＢ３は、ＵＥと２次ノードと間の信号無線ベアラとみなされる。
【００２９】
処理２０４において、ＵＥ１０２は、ＲＲＣ接続再設定メッセージに応じて、セルＮ２を２次ノードとして追加してもよい。
【００３０】
処理２０６において、ＵＥ１０２は、ＲＲＣ接続再設定完了メッセージをセルＮ２に送信してもよい。
【００３１】
一実施形態では、ＲＲＣ接続再設定完了メッセージは、ＳＲＢ３を介してセルＮ２に送信される。
【００３２】
図３は、本開示の典型的な実施形態における、２次ノードを非明示的に追加する方法を示すフローチャートである。本実施形態においては、少なくとも１つのセル（例えば、図１Ａ／図１ＢにおけるセルＮ１）を提供し、さらに、ＵＥ（例えば、図１Ａ／図１ＢにおけるＵＥ１０２）のマスターノードとして（もしくは該マスターノードの一部として）動作する基地局によって、上記方法が実施される。
【００３３】
処理３０２において、基地局は、２次ノード追加要求を、セル（例えばセルＮ２）に送信してもよい。
【００３４】
処理３０４においては、基地局は、２次ノード追加応答を、セルＮ２から受信してもよい。
【００３５】
一実施形態では、２次ノード追加応答は、ＵＥ１０２がセルＮ２にアクセスするために必要な情報を含んでいてもよい。一例として、２次ノード追加応答は、以下のうちの少なくとも１つを含んでいてもよい。すなわち、ＵＥのＩＤ、ビーム設定、ＲＡＣＨリソースとＣＳＩ−ＲＳ設定との関連性、ＲＡＣＨリソースとＮＲ−ＳＳ設定との関連性、ＳＲＢ設定（例えば、ＳＲＢ３設定）、ＤＲＢ設定、ＳＲ設定、および、セルＮ２のアクセスカテゴリの標識のうちの少なくとも１つが含まれる。
【００３６】
処理３０６においては、基地局は、２次ノード追加応答に応じて、セルＮ２を２次ノードとして追加してもよい。
【００３７】
処理３０８においては、基地局は、２次ノード追加応答メッセージに応じて、ＲＲＣ接続再設定メッセージをＵＥ１０２に送信してもよい。一例としては、上記基地局は、２次ノード追加応答をＲＲＣ接続再設定メッセージ内にカプセル化してもよい。
【００３８】
図４は、本開示の典型的な実施形態における、２次ノードの非明示的追加手続きを説明するための、メッセージの流れを示すシーケンス図である。
【００３９】
本実勢形態においては、ＵＥ１０２は、多重接続のために適したセルを見つけるためのセル選択手続きを実施してもよい。一例としては、ＵＥ１０２がＲＲＣ接続をセルＮ１に対して確立する前に、ＵＥ１０２は、セルＮ１との間、および、セルＮ２との間の両方の信号の質を測定してもよい。ＵＥ１０２とセルＮ１との間の信号の質と、ＵＥ１０２とセルＮ２との間の信号の質とは、ともに、ＵＥ１０２にとって許容でき、かつ、適切である場合が想定される。上記の場合、セルＮ１およびセルＮ２は、ＵＥのセル選択（セル再選択）のための基準（例えば、セル選択基準Ｓ、セルランキング基準Ｒ）を満たし得る。いくつかの基準（例えば、ＵＥ１０２とセルＮ２との間の信号の質が、ＵＥ１０２とセルＮ１との間の信号の質よりも良好である）に関して、ＵＥ１０２は、セルＮ１の代わりにセルＮ２にアクセスすることを要求してもよい。しかし、ＵＥ１０２は、アクセス禁止機構が原因でセルＮ２から閉め出されているか、または、セルＮ２との間でＲＲＣ接続障害（例えば接続確立障害）を有する可能性がある。この場合、ＵＥ１０２はセルＮ１に切り替えて、セルＮ１とのＲＲＣ接続をうまく確立するようにしてもよい。セルＮ１はＵＥ１０２に対するマスターノードとしての役割を果たすことができる。よって、図４における手続きは、ＵＥ１０２にとって、セルＮ１を介して、２次ノードとしてセルＮ２を追加するために有益であり得る。
【００４０】
一実施形態では、図４における手続きは、ＵＥ１０２が、セルＮ２の測定結果を把握し、セルＮ２がデータ送信およびサービスのサポートに適切なセルであると認識している状況に適用され得る。しかし、いくつかの理由のために（例えば、ＵＥ１０２がセルＮ２から閉め出されている、などのために）、ＵＥ１０２は、他のセル（例えば、セルＮ１）にアクセスしてもよいし、セルＮ１を介してセルＮ２を２次ノードとして追加してもよい。
【００４１】
一実施形態では、ＵＥ１０２は、２次ノード追加（例えば、非明示的追加または通常追加）のために推奨されるセルを把握していなくてもよい。または、ＵＥ１０２は明示されない形で、マスターノード（例えばセルＮ１）に対し、推奨されるセルを伝達してもよい。この場合、セルＮ１は、２次ノード（例えばセルＮ２）をセルＮ１自体に追加してもよい。
【００４２】
一実施形態では、ＵＥ１０２は、一組のセルとの間の信号の質、および／または、近隣のセルとの間の信号の質を測定してもよい。ここで、上記一組のセルは、ネットワークによって提供されているセル、および／または、以前にＵＥ１０２が滞在していたセルである。この測定の結果、多重接続のために適切なセルが発見される。
【００４３】
一実施形態では、１つのセルが、周波数間セルＩＤ、周波数内セルＩＤ、隣接セルＩＤ、ゾーンＩＤ、および、エリアＩＤの少なくとも１つをブロードキャストしてもよい。それから、ＵＥ１０２は、ブロードキャストされた情報（例えば、セルＮ１によって提供された情報）に基づいて、他のセルの信号の質を測定してもよい。例えば、ＵＥ１０２は、ＮＲ同期信号（ＮＲ−ＳＳ；Synchronization Signal）、および、ＮＲセルごとのチャンネル状態情報参照信号（ＣＳＩ−ＲＳ；Channel State Information-Reference Signal）の少なくとも１つを介してＮＲセルに到達するビームの品質を測定してもよい。そうすることによって、ＵＥ１０２は、ＮＲ−ＳＳおよびＣＳＩ−ＲＳの少なくとも一方の測定結果に基づき、自機のセルの質を導出してもよい。
【００４４】
ある実施形態では、特定ゾーン内または特定エリア内のセルが、同一のゾーンＩＤまたはエリアＩＤをブロードキャストしてもよい。一例としては、セルＮ１は、セルＮ１自身が属しているゾーン／エリアを示すゾーンＩＤおよび／またはエリアＩＤをブロードキャストしてもよい。ＵＥ１０２は、ゾーンＩＤおよび／またはエリアＩＤによって示された、セルＮ１と同一のゾーン／エリアに位置する一群のセルに対して、測定を実行してもよい。
【００４５】
ある実施形態では、セルＮ１は、隣接ゾーンＩＤおよび隣接エリアＩＤの少なくとも一方をブロードキャストしてもよい。このようなゾーンＩＤおよび／またはエリアＩＤは、当該ゾーンＩＤおよび／またはエリアＩＤを有する、セルＮ１と同じゾーン／エリアに位置する一群のセルに対して測定を実行するＵＥ１０２を示していてもよい。
【００４６】
ある実施形態では、ＵＥ１０２は、セル選択手順のための閾値を用いて、（事前）設定されてもよい。ＵＥ１０２は、多重接続に適する１または複数のセルを選択してもよいし、上記閾値に基づき、セルをランク付けしてもよい。一例としては、ＵＥ１０２が滞在するのに適切と考えられるセルは、少なくとも、上記閾値よりも良好な品質の信号であり得る。ＵＥ１０２は、上記適切と考えられるセルの中から、滞在するセルを１つ選択し、ＲＲＣ接続を確立してもよい。
【００４７】
図４に示されるように、処理４０２において、ＵＥ１０２は、セルＮ１とのＲＲＣ接続の確立手順／再開手順を実行してもよい。
【００４８】
処理４０２で、ＵＥ１０２は、プリアンブル送信、および、セルＮ１からのランダムアクセス応答の受け付けを完了させていてもよいし、ＲＲＣ待機状態からＲＲＣ接続済み状態への移行、または、ＲＲＣ非アクティブ状態（または簡易接続状態）からＲＲＣ接続済み状態への移行を計画してもよい。
【００４９】
一例として、ＵＥ１０２が、ＲＲＣ待機状態からＲＲＣ接続済み状態へと移行する場合、ＵＥ１０２は、信号無線ベアラ０（ＳＲＢ０；Signaling Radio Bearer）を介して、セルＮ１に対して、ＲＲＣ接続要求メッセージを送信してもよい。そして、セルＮ１は、ＲＲＣ待機状態からＲＲＣ接続済み状態への移行のために、ＲＲＣ接続開始メッセージを、ＳＲＢ０を介してＵＥ１０２に返信してもよい。他の例では、ＵＥ１０２が、ＲＲＣ非アクティブ状態（または簡易接続状態）からＲＲＣ接続済み状態へと移行する場合、ＵＥ１０２は、ＲＲＣ接続再開要求メッセージを、ＳＲＢ０を介してセルＮ１に送信してもよいし、セルＮ１は、ＲＲＣ接続再開メッセージを、ＳＲＢ１を介して返信してもよい。
【００５０】
本実施形態では、ＵＥ１０２が、マスターノード（例えば、セルＮ１）からの各設定を測定することなく、マスターノードを介して、２次ノード（例えば、セルＮ２）を追加する（例えば、ＵＥが補助する非明示的追加を行う）場合、ＵＥ１０２は、ＲＲＣ接続確立手続／ＲＲＣ接続再開手続において、ＲＲＣメッセージ（例えば、ＲＲＣ接続要求メッセージまたはＲＲＣ接続再開要求メッセージ）を介して、セルＮ１に非明示的追加要求を送信してもよい。それから、セルＮ１は、ＲＲＣ接続確立手続またはＲＲＣ接続再開手続において、ＵＥ１０２に対し、ＲＲＣ接続開始メッセージ（またはＲＲＣ接続再開メッセージ）を介して、非明示的追加応答を返信してもよい。
【００５１】
実施形態の１つでは、非明示的追加応答は、非明示的追加要求が受理されていること、非明示的追加要求は拒否されたが、ＲＲＣ確立のための関連資源が承諾されていること、または、ＲＲＣ確立と非明示的追加要求との両者が拒否されていること、を示していてもよい。
【００５２】
実施形態の１つでは、非明示的追加要求は、ＲＲＣ接続要求メッセージに対して（またはＲＲＣ接続再開要求メッセージに対して）、（例えば、少なくとも１ビットの）追加された標識によって実現されていてもよい。例えば、「１」は、非明示的追加が要求されていることを示し、「０」は、そのような要求がないことを示す。
【００５３】
実施形態の１つでは、ＲＲＣ接続要求メッセージ(もしくはＲＲＣ接続再開要求メッセージ）において確立を引き起こす確立トリガ（EstablishmentCause）の１つのフィールドは、ＲＲＣ接続確立（またはＲＲＣ接続再開）を引き起こすことのうちの１つによって、２次追加（例えば、非明示的追加、通常追加など）が実行されるということを示すために、用いられてもよい。
【００５４】
本実施形態においては、確立トリガ（EstablishmentCause）は、狭帯域（ＮＢ；Narrow Band）操作、例えば、ＬＴＥネットワークにおける、狭帯域のモノのインターネット（ＮＢ−ＩｏＴ；NB Internet of Things）のために再利用されてもよい。しかし、本開示はこの構成に限定されない。いくつかの実施形態では、セルＮ１が非明示的追加要求を受信した場合、セルＮ１は、ＵＥ１０２が、後に続くＲＲＣメッセージにおける２次ノード候補についてのセル選択結果を報告しようとしていることを、把握していてもよい。後に続くＲＲＣメッセージとは、例えば、ＲＲＣ接続開始完了メッセージ、または、ＲＲＣ接続再開完了メッセージである。セル選択結果とは、例えば、適切なセルＩＤ／ゾーンＩＤ／エリアＩＤのリストである。
【００５５】
実施形態の１つでは、ＵＥ１０２は、１または複数のセルについての信号の質の情報を収集し、当該信号の質の情報に基づいてセル選択結果を生成し、当該セル選択結果を、ＲＲＣメッセージを介して、マスターノード（例えばセルＮ１）に報告してもよい。ＲＲＣメッセージは、例えば、ＲＲＣ接続開始完了メッセージ、またはＲＲＣ接続再開完了メッセージである。上記セル選択結果は、少なくとも１つの２次ノード候補を示していてもよい。一例としては、上記セル選択結果は、上記２次ノード候補が対応している、セルＩＤ、ゾーンＩＤ、および、エリアＩＤのうちの少なくとも１つを含んでいてもよい。
【００５６】
処理４０４に示されたように、ＵＥ１０２は、ＲＲＣ待機状態からＲＲＣ接続済み状態への移行に関してＲＲＣ接続が確立したことを確認するために、ＲＲＣ接続開始完了メッセージをセルＮ１に送信してもよい。
【００５７】
ＲＲＣ接続開始完了メッセージは、セル選択結果を含んでいてもよい。該セル選択結果は、上記２次ノード候補のセルＩＤ（例えば、セルＮ２のＩＤ）を少なくとも１つ含む。セルＩＤは、物理セルＩＤ（ＰＣＩ；physical cell ID）、グローバルユニークＩＤ、または、モビリティ管理エンティティ（ＭＭＥ；Mobility Management Entity）／アクセスおよびモビリティ管理機能（ＡＭＦ；Access and Mobility Management Function）においてユニークなＩＤであってもよいが、これらには限定されない。セルＮ１は、ＲＲＣ接続開始完了メッセージに対する応答において、示された候補の２次セルＮ２を、ＵＥの２次ノードとして追加してもよい。図４では、処理４０４は、「ＲＲＣ接続開始完了」メッセージの送信を示しているが、本開示は当該構成に限定されるわけではない。いくつかの実施形態では、処理４０４において、ＵＥ１０２は、ＲＲＣ非アクティブ状態（もしくは簡易接続済み状態）からＲＲＣ接続済み状態への移行に関してＲＲＣ接続が再開したことを確認するために、セルＮ１に対して、ＲＲＣ接続再開完了メッセージによって返答してもよい。ＲＲＣ接続開始完了メッセージに含まれるメッセージの内容は、ＲＲＣ接続再開完了メッセージに対しても適用可能である。
【００５８】
一実施形態では、ＵＥ１０２は、上記信号の質の情報に基づいて、セル選択結果を生成してもよい。例えば、ＵＥ１０２とセルとの間の信号の質が、（事前に）設定された閾値を超えている場合、当該セルのＩＤは、ＵＥ１０２によって、セル選択結果に含まれる。
【００５９】
ＵＥ１０２に関して、上記閾値、および／または、セルＩＤ／ゾーンＩＤ／エリアＩＤのリストを報告するために必要とされるその他の情報は、ＲＲＣ接続確立手続／ＲＲＣ接続再開手続が、上記システム情報メッセージを介して行われている間、セルＮ１によって設定されてもよい。システム情報メッセージとは、例えば、最小限のシステム情報（ＳＩ；System Information）、オンデマンドＳＩ、または、その他のＳＩである。例えば、セルＮ１は、上記閾値をブロードキャストしてもよい。近隣のセルの信号強度、例えば、受信信号強度標識（ＲＳＳＩ；Received Signal Strength Indication）、参照信号受信電力（ＲＳＲＰ；Reference Signal Received Power）、または、参照信号受信品質（ＲＳＲＱ；Reference Signal Received Quality）が、上記閾値を超えている場合、ＵＥ１０２は、上述のセルＩＤを、報告メッセージに入れてもよい。報告メッセージは、例えば、ＲＲＣ接続開始完了メッセージ、または、ＲＲＣ接続再開完了メッセージである。
【００６０】
実施形態の１つでは、セル選択結果は、１以上の、セルＩＤ／ゾーンＩＤ／エリアＩＤを含んでいてもよい。ＲＲＣ接続開始完了メッセージ（またはＲＲＣ接続再開完了メッセージ）においてＵＥ１０２によって示されたセルは、２次ノードを選択するための、ＵＥのセル（再）選択基準を満たす、該ＵＥにとって適切なセルである。ＵＥ１０２によって示された、セルＩＤ／ゾーンＩＤ／エリアＩＤのリストを受信すると、セルＮ１は、それらのＩＤをフィルタリングしてもよいし、フィルタリングしなくてもよい。
【００６１】
実施形態の１つにおいて、セルＮ１は、セル選択結果内で報告されたセルＩＤの最大数、セル選択結果内で報告されたゾーンＩＤの最大数、および、セル選択結果内で報告されたエリアＩＤの最大数のうちの少なくとも１つを、ＵＥ１０２に伝達してもよい。例えば、「報告セルＩＤ最大数（maxReportedCellIDs）」のような標識が、セルＮ１によって設定可能であってもよい。セルＮ１は、「報告セルＩＤ最大数」の標識を、各セルＩＤのデータ長、および、ＲＲＣ接続開始完了メッセージのサイズに応じて設定してもよい。セルＮ１は、上述のような標識を、システム情報ブロードキャストメッセージ、または、ＲＲＣ接続開始メッセージ（または、ＲＲＣ接続再開メッセージ）を介して供給してもよい。システム情報ブロードキャストメッセージは、例えば、最小限のＳＩ、オンデマンドＳＩ、または、その他のＳＩである。ＵＥ１０２が、上記報告セルＩＤ最大数の標識を受信した場合、ＲＲＣ接続開始完了メッセージまたは（ＲＲＣ接続再開完了メッセージ）に含まれるセルＩＤの数は、報告セルＩＤ最大数によって表されている数を超えてはならない。他の例では、ＵＥ１０２は、ＲＲＣ接続開始完了メッセージ（またはＲＲＣ接続再開完了メッセージ）において、少なくとも１つのゾーンＩＤ（またはエリアＩＤ）を報告してもよい。セルＮ１は、非明示的追加要求および応答の手続きを、報告されたゾーンＩＤ（またはエリアＩＤ）を持つ少なくとも１つのセルを介して実行してもよい。さらに別の例では、ＵＥ１０２は、ＲＲＣ接続開始完了メッセ−ジ（またはＲＲＣ接続再開完了メッセージにおいて）、少なくとも１つゾーンＩＤ（またはエリアＩＤ）と、少なくとも１つのセルＩＤとを報告してもよい。このような場合、セルＮ１は、追加された２次ノードが報告されたゾーンＩＤにてタグ付けされていること、および、追加された２次ノードが報告されたセルＩＤのうちの１つに所属していること、を保証してもよい。セルＮ１は、セルＩＤのリストおよび／またはゾーンＩＤのリストの情報を用いて、ＵＥ１０２にとって適したセルを追加するためのフィルタリング機構を実施してもよい。
【００６２】
実施形態の１つでは、セルＮ１は、周期値（例えば、１００ミリ秒（ms））をブロードキャストしてもよい。ＵＥ１０２は、報告するメッセージにおいて（例えば、ＲＲＣ接続開始完了メッセージにおいて、またはＲＲＣ接続再開完了メッセージにおいて）、上記周期値の期間に亘って良好な品質を保つセルのＩＤを供給してもよい。例えば、報告された適切なセルは、Ｎから１００ミリ秒までの間、良好な品質を保つ任意のセルであり得る。ここで、Ｎは、ＵＥ１０２がＲＲＣ接続開始完了メッセージを送信する時点である。
【００６３】
ある実施形態においては、セルＮ１は、適切なセルの報告順序を（例えば、ＲＳＳＩ値の降順または昇順にて）指定してもよい。例えば、昇順または降順の標識は、ＲＲＣ接続開始メッセージ、最小限のＳＩ、オンデマンドＳＩ、または、他のＳＩにおいて、設定されてもよい。上記の場合では、セルＮ１は、非明示的追加の要求および応答の手順のためのフィルタリング機構を、上記順序に基づき実施してもよい。
【００６４】
実施形態の１つでは、ＵＥ１０２は、セルＮ１に、ＵＥ１０２がサポートすることのできる２次ノードの最大数を伝達してもよい。例えば、「追加セル最大数」のような標識が、ＵＥ１０２からセルＮ１に送信されてもよい。上記標識は、ＵＥの性能（例えばＵＥ性能メッセージ）内に含まれていてもよい。あるいは、ＵＥは、「追加セル最大数」という標識を、ＲＲＣ接続開始完了メッセージ内の少なくとも１つのセルＩＤとともに供給してもよい。これにより、セルＮ１に、ＵＥがサポートできる２次ノードの最大数を伝達する。例えば、降順が設定されている場合、セルＮ１は、第１の「追加セル最大数」のセルを追加してもよい。
【００６５】
処理４０６においては、セルＮ１は、ＵＥ１０２によって指定されたセル（例えばセルＮ２）を用いて、非明示的追加の要求および応答を実施してもよい。上記処理においては、セルＩＤリスト／ゾーンＩＤリスト／エリアＩＤリストが、セルＮ１によってフィルタリングされた場合、セルＮ１は、フィルタリングされたセルＩＤ／ゾーンＩＤ／エリアＩＤに対応するセルに対して、非明示的追加の要求および応答の手続きを実施するだけであってもよい。
【００６６】
非明示的追加の要求および応答の手続きが実施されている間、セルＮ１は、Ｘ２／Ｘｎインタフェースを介して、ＲＲＣ接続開始完了メッセージ（または、ＲＲＣ接続再開完了メッセージ）内の少なくとも１つのセルＩＤによって示されているセルとの協働を実施してもよい。セルＮ１との協働の対象となるセルは、セルＮ１によってフィルタリングされてもよい。さらに、セルＮＩとの協働の対象となるセルは、セルＮ１との間のＸ２／Ｘｎインタフェースを備えていてもよい。上記の場合、セルＮ１は、非明示的追加の要求メッセージを、ＵＥ１０２によって指定された全てのセルに送信することはしない。
【００６７】
処理４０８においては、セルＮ１は、ＲＲＣ接続再設定メッセージをＵＥ１０２に送信してもよい。ＲＲＣ接続再設定メッセージは、セルＮ２の設定、および、セルＮ２にアクセスするために必要な情報の少なくともいずれか一方を含んでいてもよい。ＵＥ１０２は、ＲＲＣ接続再設定メッセージにおける設定に基づいて、さらに、セルＮ２を２次ノードとして追加してもよい。
【００６８】
ある実施形態においては、セルＮ１がセルＮ２の設定情報を受信した場合、セルＮ１は、セルＮ２の情報をフィルタリングしてもよいし、フィルタリングしなくてもよい。フィルタリング機構が適用された場合、セルＮ１は、フィルタリングされていないセルからの設定情報を転送してもよいし、フィルタリングされていない設定情報を転送してもよい。例えば、セルＮ１は、１より多い数のＲＲＣリソース応答メッセージを異なるセルから受信してもよい。セルＮ１は、ＲＲＣリソース応答メッセージ内の情報を、１または複数（ただし、追加セル最大数以下）のセルからＵＥ１０２に転送するだけでもよい。ＵＥ１０２は、ＲＲＣ接続再設定メッセージにおける設定に基づいて、さらにセルＮ２を２次ノードとして追加してもよい。さらに、ＵＥ１０２は、１を超える数のＲＲＣ接続再設定メッセージを受信してからは、複数の２次ノードを追加してもよい。上記の場合、１つのＲＲＣ接続再設定メッセージは１つのセルに対応してもよい。いくつかの実施形態では、ＲＲＣ接続再設定メッセージは、セルＮ１によって受信されるＲＲＣリソース応答メッセージの送信元である、１より多数のセルに対応していてもよい。
【００６９】
実施形態の１つにおいては、１つのＲＲＣ接続再設定メッセージは、他のセルについての全ての設定情報を含んでいてもよい。よって、上述のようなＲＲＣ接続再設定メッセージにおいては、セルＩＤ、および、該セルＩＤに対応する設定を明示的に示すフィールドがあってもよい。あるいは、上述のようなＲＲＣ接続再設定メッセージ内には、設定を非明示的に示すフィールドがあってもよい。例えば、上記設定の順序は、ＵＥ１０２によって報告された上記リスト内のセルＩＤの順序を写したものであってよい。非明示的なＲＲＣ接続再設定メッセージの場合において、セルＮ１が１つのセルについて設定情報を供給しない場合、上述の設定を伝送するとされるフィールドは、空／Ｎｕｌｌであってもよい。
【００７０】
表１は、ＵＥ１０２によって報告されるセルＩＤのリストの一具体例を示す。表２は、ＲＲＣ接続再設定メッセージ内に格納された、各設定のフィールドを示す。本具体例では、ＵＥ１０２が、非明示的なＲＲＣ接続再設定の指定を介して、ＲＲＣ接続開始完了メッセージにおいてセルＩＤのリストを報告する場合、設定の順序は、セルＩＤのリストにおける順序に対応していてもよい。表１および表２に示されているとおり、セルＩＤ＃１は設定＃１に対応していてもよく、セルＩＤ＃２は設定＃２に対応していてもよい。
【００７１】
【表１】
0006984921.tif 000002
【００７２】
【表２】
0006984921.tif 000003
【００７３】
セルＮ１が、セルＩＤ＃３のセルを２次ノードとして追加する予定ではない場合、ＲＲＣ接続再設定メッセージにおける、セルＩＤ＃３に対応する設定のフィールドは、空／Ｎｕｌｌ、または、デフォルト値であってもよい。
【００７４】
実施形態の１つにおいては、セルＮ１は、セルＮ２からの応答（例えば、ＲＲＣリソース応答メッセージ）を、ＲＲＣ接続再設定メッセージ内へとカプセル化して格納してもよい。この場合、ＲＲＣリソース応答メッセージは、ノード間のＲＲＣメッセージとしてみなされ得る。
【００７５】
処理４１０においては、ＵＥ１０２は、ＲＲＣ接続再設定メッセージに応答して、ＲＲＣ接続再設定完了メッセージをセルＮ１に送信してもよい。
【００７６】
処理４１２において、ＵＥ１０２は、ＲＲＣ接続開始完了メッセージ４１２を２次ノード（例えばセルＮ２）に送信してもよいし、セルＮ２とのＲＲＣ接続を確立してもよい。
【００７７】
処理４１４においては、ＵＥ１０２は、セルＮ１とセルＮ２とを介して多重接続データ送信を実行してもよい。
【００７８】
実施形態の１つにおいては、ＵＥ１０２は、複数のＲＲＣ接続再設定メッセージを、１以上のセルから受信してもよい。ＵＥ１０２は、ＲＲＣ接続再設定メッセージをフィルタリングしてもよいし、フィルタリングしなくてもよい。ＵＥ１０２は、フィルタリング機構を実施する場合、ＵＥ１０２によってフィルタリングされていないセルから送信されたＲＲＣ接続再設定メッセージに基づいて、自機を設定してもよい。
【００７９】
実施形態の１つでは、ＵＥ１０２は、ＲＲＣ接続再設定メッセージをフィルタリングしてもよいし、および／または、同一のＲＲＣ接続再設定メッセージ内の設定さえもフィルタリングしてもよい。例えば、セルＮ１は、セルＩＤ＃１およびセルＩＤ＃に関して、設定情報を供給してもよい。しかし、ＵＥ１０２は、セルＩＤ＃１を有するセルとのＲＲＣ接続を確立するだけでもよい。この場合、ＵＥ１０２は、セルＩＤ＃２を有するセルが追加されていないことを示すために、セルＩＤ＃２を含むＲＲＣ接続再設定完了メッセージを用いてセルＮ１に返答してもよい。セルＮ１は、さらに、ＵＥ１０２の設定をリセットする指示を、セルＩＤ＃２を有するセルに与えてよい。実施形態の１つにおいては、ＵＥ１０２は、セルＩＤ＃１を有するセルの追加に成功したことを示すために、セルＩＤ＃１を含むＲＲＣ接続再設定完了メッセージを用いてセルＮ１に返答してもよい。セルＮ１は、さらに、セルＩＤ＃２を有するセルに対して、ＵＥ１０２の設定をリセットするように指示してもよい。
【００８０】
実施形態の１つにおいては、２次ノードのいずれについても設定がなされなかった場合、または、セル数が、追加セル最大数に成功裡に到達しなかった場合、２次ノード追加（例えば、非明示的追加や通常追加）は成功していないとみなされる。ＵＥ１０２は、さらに、セルＮ１とのＲＲＣ接続の再確立手続をトリガしてもよい。
【００８１】
ＵＥ１０２は、受信されたＲＲＣ接続再設定メッセージに基づいて、セルＮ２に接続するように自機を設定してもよい。実施形態の１つにおいては、ＵＥ１０２には、セルＮ２内のＳＲＢ設定情報が提供される。そのことによって、ＵＥ１０２は、セルＮ２とのＲＲＣ接続を構築することができる。一例として、ＲＲＣ接続はＳＲＢ３であってもよい。
【００８２】
実施形態の１つにおいては、ＵＥ１０２は、セルＮ２を、ＳＲＢ設定に従う２次ノードとして追加するために、ＲＲＣメッセージをセルＮ２に送信してもよい。上記ＲＲＣメッセージとは、例えば、ＲＲＣ接続要求メッセージ、ＲＲＣ接続開始完了メッセージ、および、ＲＲＣ接続再設定完了メッセージである。ＳＲＢ設定は、パケットデータ収束プロトコル（ＰＤＣＰ；Packet Data Convergence Protocol）エンティティの設定、無線リンク制御（ＲＬＣ；Radio Link Control）エンティティの設定、および、ＳＲＢ配信のためのメディアアクセス制御（ＭＡＣ；Medium Access Control）エンティティの設定を含んでいてもよい。ＵＥ１０２は、自機のＵＥＩＤまたは任意の標識をこれらのＲＲＣメッセージにおいて提供してもよい。上記任意の標識とは、ＵＥ１０２を認識するための鍵として、セルＮ２によって供給されたものであって、セルＮ１によって転送されたものである。
【００８３】
実施形態の１つでは、ＵＥ１０２には、ＤＲＢ設定が提供されてもよい。ＵＥ１０２は、ＤＲＢ設定に基づいて、自機のデータ無線ベアラを設定してもよいし、および／または、データをセルＮ２に送信してもよい。ＤＲＢ設定は、サービスデータ適応プロトコル（ＳＤＡＰ；Service Data Adaptation Protocol）エンティティの設定、ＰＤＣＰエンティティの設定、ＲＬＣエンティティの設定、および、ＤＲＢ配信のためのＭＡＣエンティティの設定を含んでいてもよい。
【００８４】
実施形態の１つにおいては、ＵＥ１０２には、セルＮ２宛てのＳＲ設定が提供されてもよい。ＵＥ１０２は、アップリンクのリソースを承諾するため、および／または、アップリンクを要求するために、ＳＲ設定に基づいて、スケジューリング要求を、セルＮ２に送信してもよい。
【００８５】
実施形態の１つにおいては、ＵＥ１０２は、セルＮ２に関するビーム設定を保持するように構成されてもよい。ＵＥ１０２は、セルＮ２との間のビームレベル信号の送信および／または受信のためにビームを設定してもよい。
【００８６】
実施形態の１つにおいては、ＵＥ１０２は、ＲＡＣＨリソースとＮＲ−ＳＳとの間の関連付け設定、および／または、ＲＡＣＨリソースとＣＳＩ−ＲＳとの間の関連付け設定を保持するように構成されてもよい。ＵＥ１０２は、セルＮ２に対し、ランダムアクセスの手続きを実施してもよい。
【００８７】
実施形態の１つにおいては、ＵＥ１０２には、特別なアクセスカテゴリを示す標識が提供されてもよい。ＵＥ１０２は、アクセスコントロール機構における標識に基づいて、セルＮ２にアクセスしてもよい。例えば、特別なアクセスカテゴリの禁止パラメータは、比較的緩い。例えば、このような特別なアクセスカテゴリは、アクセスコントロール機構を経由しない。例えば、このような特別なアクセスカテゴリは、システム情報（たとえばＳＩＢ１）内のアクセス制御パラメータにおいて示されない。例えば、上記設定は、スケジューリング要求設定を含む物理設定を含んだ、無線リソース設定であってもよい。
【００８８】
図５は、本開示における具体的な実施形態における、ＵＥ（例えばＵＥ１０２）とマスターノード（例えばセルＮ１）との間で実施される処理を説明するための、メッセージの流れを示すシーケンス図である。
【００８９】
処理５０２において、ＵＥ１０２は、セルＮ１にＲＲＣ接続要求を送信してもよい。当該ＲＲＣ接続要求は、非明示的追加のための非明示的追加の要求を含んでいてもよい。
【００９０】
処理５０４においては、セルＮ１は、ＲＲＣ接続開始メッセージを用いて、ＵＥ１０２に対して返答してもよい。上記ＲＲＣ接続開始メッセージの代わりに、ＲＲＣ非アクティブ状態（または簡易接続状態）をＲＲＣ接続済み状態へ移行させるための、ＲＲＣ接続再開メッセージが返答に用いられてもよい。
【００９１】
実施形態の１つでは、セルＮ１が非明示的追加をサポートする場合、セルＮ１はさらにＵＥ１０２に対し、ＲＲＣ接続開始メッセージにおいて（またはＲＲＣ接続再開メッセージにおいて）セルＮ１が必要とするものを要求してもよい。セルＮ１が非明示的追加をサポートする場合、セルＮ１は、ＵＥ１０２に対して、ＲＲＣ接続の開始（または再開）を許可して、さらに、当該ＲＲＣ接続に適したセルの集合を報告してもよい。例えば、セルＮ１は、セルＮ１とのＲＲＣ接続を確立するための設定をＵＥ１０２に対して行うために、ＲＲＣ接続開始メッセージ（またはＲＲＣ接続再開メッセージ）において、無線リソース専用の設定を供給してもよい。例えば、無線リソース専用の設定は、無線ベアラ設定、ＰＤＰＣ設定、ＲＬＣ設定、ＭＡＣ設定およびＰＨＹ設定のうちの少なくともいずれか１つを有している。
【００９２】
実施形態の１つにおいては、セルＮ１が、ＵＥ１０２によって提供されたセルＩＤのリストに基づいて、２次ノードを追加する予定である場合、セルＮ１は、セル選択結果において報告されたセルＩＤの最大数をＵＥ１０２に伝達するために、「報告セルＩＤ最大数」の標識を、ＲＲＣ接続開始メッセージ（またはＲＲＣ接続再開メッセージ）において設定してもよい。こうして、セルＮ１は、セルＩＤのリストに基づいて、２次ノードを追加してもよい。
【００９３】
実施形態の１つにおいては、セルＮ１が、ＵＥ１０２によって提供されたゾーンＩＤのリストに基づいて、２次ノードを追加する予定である場合、セルＮ１は、セル選択結果において報告されたゾーンＩＤの最大数をＵＥ１０２に伝達するために、「報告ゾーンＩＤ最大数」を、ＲＲＣ接続開始メッセージ（またはＲＲＣ接続再開メッセージ）において示してもよい。それから、セルＮ１は、提供されたゾーンＩＤを持つ２次ノードを追加してもよい。
【００９４】
実施形態の１つにおいては、セルＮ１が、ＵＥ１０２によって提供されたエリアＩＤのリストに基づいて、２次ノードを追加する予定である場合、セルＮ１は、セル選択結果において報告されたエリアＩＤの最大数をＵＥ１０２に伝達するために、「報告エリアＩＤ最大数」を、ＲＲＣ接続開始メッセージ（またはＲＲＣ接続再開メッセージ）において示してもよい。それから、セルＮ１は、提供されたエリアＩＤを持つ２次ノードを追加してもよい。
【００９５】
実施形態の１つにおいては、ＵＥ１０２が、ＲＲＣ非アクティブ状態（または簡易接続状態）にあり、ＵＥの文脈における、先に追加されていた２次ノード情報を保持している場合、セルＮ１は、ＵＥの文脈における先の２次ノードを、ＲＲＣ接続開始メッセージ（またはＲＲＣ接続再設定メッセージ）における標識を介して追加することを、ＵＥ１０２に示してもよい。セルＮ１は、すでに、ＵＥの文脈を有し、２次ノードが追加可能であることを確認していてもよい。ＵＥ１０２が、すでに１より多い数の２次ノードを追加しており、該１より多い数の２次ノードの情報が、ＵＥの文脈において保持されている場合、セルＮ１は、１より多い（ただし、追加セル最大数よりも少ない）数の２次ノードを選択し、そして、ＵＥ１０２に、それらの２次ノードを追加するように指示してもよい。この場合、ＵＥ１０２は、（追加することを）提案されたセルＩＤを持つセルＮ１に対して返答しなくてもよい。
【００９６】
処理５０６において、ＵＥ１０２は、セル選択結果を含むＲＲＣ接続開始完了メッセージ（またはＲＲＣ接続再開完了メッセージ）をセルＮ１に送信してもよい。例えば、セル選択結果は、２次ノードとなることに適している、１以上のセルを示す、セルＩＤリスト／ゾーンＩＤリスト／エリアＩＤリストを含んでいてもよい。
【００９７】
図６は、本開示における具体的な実施形態における、ＵＥ（例えばＵＥ１０２）とマスターノード（例えばセルＮ１）との間で実施される処理を説明するための、メッセージの流れを示すシーケンス図である。
【００９８】
本実施形態では、セルＮ１は、ＲＲＣ接続拒否メッセージを用いて、２次ノードの追加（例えば、非明示的追加、通常追加）を拒否してもよい。図６に示されるように、処理６０２において、ＵＥ１０２は、非明示的追加要求を含むＲＲＣ接続要求メッセージを、セルＮ１に送信してもよい。セルＮ１が、ＲＲＣ確立と非明示的追加との両者を拒否した場合、次に、処理６０４において、セルＮ１は、ＲＲＣ接続拒否メッセージを用いてＵＥ１０２に返答してもよい。
【００９９】
他の実施形態においては、セルＮ１は、２次ノードの追加を拒否するが、ＲＲＣ接続の確立を受け付けてもよく、それによって、ＲＲＣ接続開始メッセージを用いて、ＵＥ１０２に対して返答してもよい。この場合、セルＮ１は、ＲＲＣ確立に関連するリソースを承諾してもよいが、２次ノードの追加はまだ承諾しない。例えば、セルＮ１は、ＲＲＣ接続確立の許可を認知するためのＲＲＣ接続開始メッセージを送信してもよい。そして、セルＮ１は、ＲＲＣ接続確立を実現するための無線リソース設定を供給してもよい。しかし、セルＮ１は、ＲＲＣ接続開始完了メッセージを送信するための、ＵＥ１０２にとって十分なサイズを、非明示的追加のための標識のいずれも用いずに（例えば、適切な、セルＩＤリスト／ゾーンＩＤリスト／エリアＩＤリストを添付することなく）、承諾するだけでもよい。ＲＲＣ接続開始完了メッセージについての、上記無線リソース設定および適切なサイズは、無線リソース専用の設定に含まれていてもよい。
【０１００】
実施形態の１つでは、２次ノード追加（例えば非明示的追加、通常追加）を受け付けるための標識がない場合、または、２次ノード追加のために必要な情報が、ＲＲＣ接続開始メッセージに存在しない場合、ＵＥ１０２は、２次ノード追加がセルＮ１によって拒否されていることを把握してもよい。
【０１０１】
実施形態の１つでは、通常の２次ノード追加（通常追加と略称される）は、デフォルト設定により、２次ノード追加（例えば非明示的追加、通常追加）が拒否された際に起こり得る。通常追加の手続きの詳細な説明は、図１０を参照して説明されることになる。
【０１０２】
実施形態の１つでは、セルＮ１は、ＲＲＣ接続開始メッセージにおいて、２次ノード追加（例えば非明示的追加、通常追加）の標識を供給してもよい。この結果、ＵＥ１０２は、上記標識をチェックすることによって、例えば、適切なセルＩＤのリスト／ゾーンＩＤリスト／エリアＩＤリストなどのセル選択結果を報告することが許可されているか否かを、後続する報告ＲＲＣメッセージにおいて明示的に把握することができる。例えば、非明示的追加の標識は、１ビットであってもよい。例えば、「１」は、非明示的追加を受け付けることを意味し、「０」は、非明示的追加を拒否することを意味する。あるいは、「０」は、非明示的追加は拒否されているが、通常追加が引き継いでいることを意味する。
【０１０３】
図７は、本開示における具体的な実施形態における、非明示的追加の要求および応答の手続きを説明するための、メッセージの流れを示すシーケンス図である。
【０１０４】
処理７０２においては、マスターノード（例えばセルＮ１）は、ノード間非明示的追加要求を、セル（例えばセルＮ２）に送信してもよい。上記セル（例えばセルＮ２）は、ＵＥ１０２によって指定され、かつ、セルＮ１がフィルタリング機構を実行する場合には、
セルＮ１によってフィルタリングで除外されないセルであってもよい。
【０１０５】
実施形態の１つでは、ノード間非明示的追加要求は、少なくとも１つのＵＥＩＤ（例えば、ＵＥ１０２のＩＤ）を含んでいてもよい。これにより、どのＵＥが、セルＮ２に対するＲＲＣ接続および／またはデータ送信を必要としているのかを、セルＮ２に知らせることができる。
【０１０６】
実施形態の１つでは、セルＮ１は、ノード間非明示的追加要求を、複数のセルに同時に送信してもよい。
【０１０７】
処理７０４においては、非明示的追加がセルＮ２によって許可された場合（例えば、セルＮ２が、ＵＥの要求をサポートできると判断した場合）、セルＮ２は、ノード間非明示的追加応答を、肯定的フィードバック（例えば、ＡＣＫ（acknowledgement）標識）を用いて、セルＮ１に返送してもよい。
【０１０８】
実施形態の１つでは、セルＮ２は、ノード間非明示的追加要求に応答して、ＵＥＩＤに基づくＵＥの認可要求および／またはサービス要求について、コアネットワークを通じてチェックしてもよい。
【０１０９】
セルＮ２からの肯定的フィードバックが受信された後、セルＮ１が、さらに、ＲＲＣ接続にアクセスおよび／または構築するための設定、および／または、セルＮ２へのデータ送信を実施するための設定を要求することが可能である。このように、処理７０６においては、セルＮ１は、さらに、ＲＲＣリソース要求を、セルＮ２に送信してもよい。
【０１１０】
実施形態の１つにおいては、セルＮ１は、肯定的フィードバックを送信しているセルをフィルタリングしてもよいし、しなくてもよい。例えば、セルＮ２がセルＮ１によるフィルタリングによって除外された場合、たとえ、セルＮ２がノード間非明示的追加応答において、ＡＣＫを伴って返答したとしても、セルＮ２は、ＲＲＣリソース要求を受信しなくてもよい。その一方で、セルＮ２がフィルタリングされなかった場合、または、Ｎ１がフィルタリング機構を実施しなかった場合、セルＮ２は、ＲＲＣリソース要求をセルＮ１から受信してもよい。例えば、ＲＲＣリソース要求は、セルＮ２を識別するためのＵＥＩＤを含んでいてもよい。
【０１１１】
処理７０８においては、セルＮ２は、ＲＲＣリソース応答をセルＮ１に送信してもよい。
【０１１２】
実施形態の１つにおいては、情報のいくつかは、ＲＲＣリソース応答に含まれていてもよい。それによって、ＵＥ１０２は、セルＮ２との間で、ＲＲＣ接続にアクセスすること、ＲＲＣ接続を構築すること、および、データ送信を実施することの少なくとも１つを行うことが可能になる。上記情報は、ＵＥＩＤ、ＵＥ１０２のためのＳＲＢ設定、ＵＥ１０２のためのＤＲＢ設定、ＳＲ設定、ビーム設定、ＲＡＣＨリソースとＮＲ−ＳＳ設定との間の関連性、ＲＡＣＨリソースとＣＳＩ−ＲＳ設定との間の関連性、および、特別なアクセスカテゴリの標識のうちの少なくとも１つを含んでいてもよい。上記情報の目的は、セルＮ２を２次ノードとして追加することを支援することにある。ＳＲＢ設定は、ＵＥとセルＮ２との間のＳＲＢ３を開始するためのＵＥの設定を含んでいてもよい。
【０１１３】
実施形態の１つにおいては、セルＮ２はタイマーを備える構成であってもよい。タイマーは、セルＮ２がセルＮ１からの要求を受け付けたとき、または、セルＮ２がＵＥ１０２のためのリソースを準備するとき／取っておくときに作動する。ここで、要求を受け付けたときとは、例えば、セルＮ２が、ノード間非明示的追加応答を、肯定的フィードバック（例えばＡＣＫ）を伴って送信するときである。ここで、リソースを準備するとき／取っておくときとは、例えば、セルＮ２が、ＲＲＣリソース応答を、設定を伴って送信したときである。タイマーが終了し、セルＮ２がＵＥの追加の情報または応答を受信しなかった場合、セルＮ２は、ＵＥ１０２のための設定をクリアするか、および／または、ＵＥ１０２のためのリソースを解放する。あるいは、セルＮ２は、ＵＥ１０２を閉め出してもよい。実施形態の１つにおいては、タイマーは、例えば、ノード間非明示的追加要求を介して、セルＮ１によって、セルＮ２に対して設定されてもよい。実施形態の１つにおいては、タイマーは、セルＮ２自身によって設定されてもよい。実施形態の１つにおいては、セルＮ２は、タイマーを、ノード間非明示的追加応答を介して、セルＮ１に送信してもよい。
【０１１４】
図７において示された、非明示的追加要求および応答の手続きは、４つの処理；処理７０２、処理７０４、処理７０６、および、処理７０８を含むが、本開示は、これらに限定されない。実施形態の１つにおいては、上記手続きは、２つの処理へと統合されてもよい。１つの処理は、マスターノード（例えばセルＮ１）が２次ノード追加要求を２次ノード（例えばセルＮ２）に送信する処理である。もう１つの処理は、マスターノードが２次ノードから２次ノード追加応答を受信する処理である。２次ノード追加要求は、特定のＵＥ（例えばＵＥ１０２）の２次ノードを追加するためのリソースの準備を要求するように構成されてもよい。例えば、２次ノード追加要求は、ノード間非明示的追加要求またはＲＲＣ接続リソース要求であってもよい。実施形態の１つでは、２次ノード追加の要求は、タイマーおよびＵＥＩＤのうちの少なくともいずれか１つを含んでいてもよい。
【０１１５】
２次ノード追加応答は、２次ノード追加に係るマスターノードを確認するために、そして、ＵＥ１０２が２次ノードにアクセスするために必要な設定情報を供給するために、設定されてもよい。例えば、２次ノード追加応答は、ノード間非明示的追加応答か、または、ＲＲＣ接続リソース応答であってもよい。図４について説明したように、例えば、２次ノード追加応答は、タイマー、ＵＥＩＤ、ビーム設定、ＲＡＣＨリソースとＣＳＩ−ＲＳ設定との間の関連性、ＲＡＣＨリソースとＮＲ−ＳＳ設定との間の関連性、ＳＲＢ設定、ＤＲＢ設定、ＳＲ設定、および、セルＮ２におけるアクセスカテゴリの標識のうち、少なくとも１つを含んでいてもよい。
【０１１６】
図８は、本開示における具体的な実施形態における、非明示的追加の要求および応答の手続きを説明するための、メッセージの流れを示すシーケンス図である。
【０１１７】
本実施形態では、セルＮ２が２次ノード追加を拒否した場合、セルＮ２は、否定的フィードバック（例えば、ＮＡＣＫ標識）を用いて、セルＮ１に対して、ノード間非明示的追加応答を返信してもよい。
【０１１８】
図８に示されたように、処理８０２においては、セルＮ１は、ノード間非明示的追加要求をセルＮ２に送信してもよい。処理８０２は、実質的に、図７における処理７０２に対応するので、処理の詳細な説明は省略する。
【０１１９】
処理８０４においては、セルＮ２が要求された２次ノード追加を拒否する場合、セルＮ２は、否定的フィードバック（例えばＮＡＣＫ標識）を用いて、ノード間非明示的追加応答をセルＮ１に返信してもよい。例えば、非明示的追加は、セルＮ２がＵＥ１０２の要求をサポートすることができないという理由で拒否されてもよい。この場合、セルＮ２は、ノード間非明示的追加応答メッセージにおける否定的フィードバック（例えばＮＡＣＫ標識）を用いて、セルＮ１に返答してもよい。
【０１２０】
図９は、本開示における具体的な実施形態における、２次ノードの非明示的追加の手続きを説明するための、メッセージの流れを示すシーケンス図である。
【０１２１】
処理９０２においては、ＲＲＣ待機状態をＲＲＣ接続済み状態へと移行させるため、または、ＲＲＣ非アクティブ状態（または、簡易接続状態）からＲＲＣ接続済み状態へと移行させるために、ＵＥ１０２は、セルＮ１との間のＲＲＣ接続の確立／再開の手続きを実行してもよい。
【０１２２】
処理９０４においては、ＵＥ１０２は、セルＮ１に対し、セル選択結果を含むＲＲＣ接続開始完了メッセージを送信してもよい。
【０１２３】
処理９０６においては、セルＮ１は、受信されたＲＲＣ接続開始完了メッセージに対する応答として、セルＮ２との間で、非明示的追加要求および応答の手続きを実行してもよい。
【０１２４】
処理９０８においては、セルＮ１は、最初のＲＲＣ接続再設定メッセージをＵＥ１０２に転送してもよい。
【０１２５】
実施形態の１つでは、最初のＲＲＣ接続再設定メッセージは、セルＮ２を追加する標識（例えば、セルＮ２のセルＩＤ）、および／または、セルＮ２にアクセスするために必要な情報を含んでいてもよい。上記必要な情報とは、例えば、ビーム設定、および／または、ＲＡＣＨリソースとＣＳＩ−ＲＳ設定との間の関連性、および／または、ＲＡＣＨリソースとＮＲ−ＳＳ設定との間の関連性、および／または、セルＮ２における特別なアクセスカテゴリの標識である。
【０１２６】
ＵＥ１０２は、最初のＲＲＣ接続再設定メッセージに対する応答として、処理９１０に示すとおり、セルＮ２との間で、ＲＲＣ接続確立の手続きを実行してもよい。
【０１２７】
処理９１２においては、セルＮ２は、第２のＲＲＣ接続再設定メッセージを介して、ＳＣＧ／ＳＮに固有の設定を用いてＵＥ１０２を設定してもよい。ＳＣＧ／ＳＮに固有の設定とは、例えば、セルＮ２における、ＳＲＢ設定、および／または、ＤＲＢ設定、および／または、ＳＲ設定である。ＳＲＢ設定は、ＳＲＢ３設定を含んでいてもよい。
【０１２８】
ＵＥ１０２がセルＮ２の追加に成功した場合、処理９１４および処理９１６に示すとおり、ＵＥ１０２は、ＲＲＣ接続再設定完了メッセージをセルＮ２とセルＮ１とのそれぞれに送信してもよい。
【０１２９】
処理９１８においては、ＵＥ１０２は、多重接続のために、セルＮ１およびセルＮ２との間で、データ送信を実行してもよい。
【０１３０】
いくつかの場合では、２次ノード追加（例えば非明示的追加、通常追加）が成功することは保証されていない。 例えば、ＵＥ１０２がセルＮ２とのＲＲＣ接続の確立に失敗した場合、ＵＥ１０２は、２次ノードの追加が失敗したことを、セルＮ１に対して宣言してもよい。他の例では、ＵＥ１０２が「追加セル最大数」の数の２次ノードを追加することに失敗した場合、ＵＥ１０２は、２次ノードの追加が失敗したことを、セルＮ１に対して宣言してもよい。
【０１３１】
一実施形態では、ＵＥ１０２がＲＲＣ接続を確立できなかった、および／または、任意の（追加されるであろう）２次ノードにデータを送信できなかった場合、ＵＥ１０２は、２次ノード追加の失敗を宣言してもよい。一例として、ＵＥ１０２は、ＲＲＣメッセージ（例えば、ＲＲＣ接続再設定完了メッセージ、ＲＲＣ接続再確立要求メッセージ）において、２次ノード追加の失敗を宣言してよい。例えば、ＲＲＣ接続再設定完了メッセージ内の１ビットまたはビット列を、２次ノード追加失敗の標識としてもよい。
【０１３２】
一実施形態では、ＵＥ１０２は、さらに、ＲＲＣメッセージ（例えば、ＲＲＣ接続再設定完了メッセージ、ＲＲＣ接続再確立要求メッセージ）内に、２次ノード追加失敗を引き起こしたセルのセルＩＤを有していてもよいし、および／または、失敗の原因を提供してもよい。失敗の原因の例としては、チャンネルの品質が不十分である、ＲＲＣ接続再設定完了メッセージを送る前に時間を使い果たしたなどのように、タイマーが時間を満了している、および、セルＮ２から応答がない、というものがある。一実施形態では、セルＮ２から応答がないのは、セルＮ２内のタイマーがタイムアウトしたことが原因であってもよい。前記タイマーは、セルＮ２がＵＥ１０２のためにリソース／設定を承諾または確保する時、あるいは、ＵＥ１０２がセルＮ２にアクセスする時に、セルＮ２によって作動されてもよい。リソース／設定を承諾または確保する時としては、例えば、ＲＲＣ接続の確立／再開手続き（ＲＲＣリソース応答の送信など）を実行している間が考えられる。一実施形態では、ＲＲＣ接続再設定メッセージ内に前記のタイマーが含まれている場合、ＵＥは、ＵＥがＲＲＣ接続再設定メッセージをセルＮ１またはセルＮ２から受信した時に、タイマーを開始させる。
【０１３３】
セルＮ２内でタイマーがタイムアウトした場合、セルＮ２は、さらにＵＥ１０２を拒否または閉め出してもよい。ここで、タイムアウトとは、タイマーが停止するまたは時間を満了するよりも前に、セルＮ２が、ＵＥ１０２からの応答を受信しないことを意味する。一実施形態では、セルＮ２内で、タイマーがタイムアウトした場合、セルＮ２は、たとえＵＥ１０２がセルＮ２にメッセージを送信したとしても、ＵＥ１０２に返答しなくてもよい。そして、その結果、２次ノードの追加が失敗することがあり得る。一実施形態では、セルＮ２内で、タイマーがタイムアウトした場合、セルＮ２は、ＵＥ１０２に、ＲＲＣ拒否メッセージを用いて返答してもよい。そして、その結果、２次ノードの追加が失敗することがあり得る。
【０１３４】
一実施形態では、セルＮ１は、少なくともセルＩＤおよび／またはＵＥＩＤの組み合わせを用いて、成功していないセルと協働し、当該セルに対してＵＥ１０２のための設定およびリソースを解放するように要求してもよい。
【０１３５】
一実施形態では（例えばＲＲＣ接続再設定メッセージにおいて提供された）設定を有するすべての推奨された２次ノードが失敗したときに、２次ノード追加の失敗が宣言された場合、ＵＥ１０２は、ＲＲＣメッージにおいてセルＩＤをセルＮ１に提供しなくてもよい。例えば、ＲＲＣメッセージは、ＲＲＣ接続再設定完了メッセージ、ＲＲＣ接続再確立要求メッセージである。
【０１３６】
２次ノードの追加が一度失敗すると、ＵＥ１０２は、２次ノードの追加を中止してもよいし、非明示的追加を継続してもよいし、または、通常追加に切り替えてもよい。通常追加は、ＵＥの測定報告に基づいている。ＵＥ１０２が非明示的追加を継続する場合、ＵＥ１０２は、最新の測定結果に基づいて、ＲＲＣ接続再設定完了メッセージにおいて、セル選択結果（たとえば、セルＩＤまたはゾーンＩＤのリスト）を提供してもよい。ＲＲＣ接続再設定完了メッセージが受信されると、セルＮ１は、ＵＥ１０２が示したセルに対して、および／または、ＵＥ１０２が示したゾーンＩＤ（またはエリアＩＤ）がタグ付けされたセルに対して、非明示的追加の要求および応答の手続きを実行してもよい。
【０１３７】
一実施形態では、ＵＥ１０２は、続いて起こる動作を指定するための少なくとも１つのフィールドを報告メッセージにおいて供給してもよい。例えば、前記フィールドが「１」である場合、ＵＥ１０２は非明示的追加を継続して実行してもよい。前記フィールドが「０」である場合、ＵＥ１０２は通常追加を実行してもよい。前記フィールが「Ｎｕｌｌ」（空）である場合、ＵＥ１０２は、その時点で２次ノードを追加しなくてもよい。
【０１３８】
図１０は、本開示における具体的な実施形態における、通常追加の手続きを説明するための、メッセージの流れを示すシーケンス図である。
【０１３９】
本実施形態では、ＵＥ１０２は、２次ノードの追加（例えば、非明示的追加、通常追加）が失敗した後に、通常追加の実行を指定してもよい。
【０１４０】
図１０に示されたように、処理１００２において、ＵＥ１０２は、ＲＲＣ接続再設定完了メッセージをセルＮ１に送信してもよい。ＲＲＣ接続再設定完了メッセージは、セルＮ１に伝達するための通常追加の標識（例えば１ビット）を含んでいてもよい。あるいは、デフォルト設定により、２次ノードの追加失敗の標識は、通常追加要求の標識を表現していてもよい。
【０１４１】
セルＮ１が、ＲＲＣ接続再設定完了メッセージにおいて、ＵＥ１０２による通常追加の要件を受信すると、処理１００４において、セルＮ１は、ＲＲＣ接続再設定メッセージにおいて、ＵＥ１０２のための測定を設定してもよい。例えば、ＲＲＣ接続再設定メッセージは、測定設定を含んでいてもよい。一実施形態では、前記ＵＥは、追加失敗を含んだＲＲＣメッセージ（例えば、ＲＲＣ接続再設定メッセージ、ＲＲＣ接続再確立要求メッセージ）をセルＮ１に送信する。セルＮ１は、測定設定を含むＲＲＣメッセージ（例えば、ＲＲＣ接続再設定メッセージ）を介してＵＥに返答することになる。
【０１４２】
処理１００６では、ＵＥ１０２は、測定設定に基づく測定を実行し、測定結果を含む測定報告をセルＮ１に送信してもよい。
【０１４３】
処理１００８において、セルＮ１は、前記測定報告に基づいて、通常追加を実行し、それにしたがって、セルＮ２を、ＵＥ１０２の２次ノードとして追加してもよい。
【０１４４】
一実施形態では、２次ノードの追加が成功したとき、ＵＥ１０２は、その状況を、ＲＲＣ再設定完了メッセージを介して認識してもよい。マスターノード（例えばセルＮ１）は、さらに、２次ノードの追加手続きの間に無事に追加された２次ノード（例えばセルＮ２）に対して、関連する測定を設定してもよい。
【０１４５】
一実施形態では、セルＮ１は、ＵＥにより提案されたセル選択結果（例えばセルＩＤ／ゾーンＩＤ／エリアＩＤのリスト）を受信することなく、非明示的追加を実行してもよい。この種の非明示的追加を、「マスターノード発信の非明示的追加」と称する。例えば、セルＮ１は、ＲＲＣ接続再設定メッセージをＵＥ１０２に直接送信してもよい。ＲＲＣ接続再設定メッセージは、以下のいずれか１つを少なくとも含む。以下とは、すなわち、セルＮ２の設定（例えばＳＮ／ＳＣＧに固有の設定）、セルＮ２を追加する標識、および、セルＮ２にアクセスするために必要な情報である。ＳＮ／ＳＣＧに固有の設定は、セルＮ２によって供給されてもよい。ＲＲＣ接続再設定メッセージは、セルＮ２からセルＮ１に送信されたＳＮ−ＳＣＧに固有の設定を、（例えば、ノード間ＳＮ追加応答を介して）カプセル化してもよい。
【０１４６】
一実施形態では、ＵＥ１０２は、ＵＥ１０２がＲＲＣ非アクティブ状態（または簡易接続状態）に移行したとき、すでに２次ノードの情報を有していてもよい。例えば、ＵＥは、ＵＥの文脈においてＭＣに関連した設定を保持していてもよい。例えば、前記ＭＣに関連した情報とは、無線ベアラ設定、および／または、２次ノードもしくは２次セルのＳＣＧ設定であってもよい。この場合、セルＮ１がＵＥの文脈を有している場合、セルＮ１は、ＵＥ１０２に対して、２次ノード（例えば、セルＮ２）を追加することを通知してもよい。
【０１４７】
マスターノード発信の非明示的追加において、ＵＥ１０２は、２次ノードを追加するために、ＲＲＣ接続再設定メッセージ内の設定に準拠してもよい。追加に成功した場合は、ＵＥ１０２は、セルＮ２とのＲＲＣ接続を、ＲＲＣメッセージ（例えばＲＲＣ接続開始完了メッセージ）を介して、構築してもよい。
【０１４８】
一実施形態では、マスターノード発信の非明示的追加は、図４または図９における「非明示的追加の要求および応答」のブロック以降の処理を含んでいてもよい。例えば、非明示的追加に成功した場合、ＵＥ１０２は、非明示的追加に成功したことを示すためのＲＲＣ接続再設定完了メッセージを送信してもよい。非明示的追加に失敗した場合、ＵＥ１０２は、セルＮ１に対して報知するＲＲＣ接続再設定完了メッセージ内に非明示的追加の失敗を示してもよい。
【０１４９】
上述の実施形態では、マスターノード発信の非明示的追加の失敗は、ＵＥによって補助される非明示的追加に類する方法で、対処され得る。例えば、デフォルト設定により、非明示的追加の失敗に引き続いて通常追加が発生する。この場合、ＵＥ１０２は、通常追加の要求を暗に表しながら、セルＮ１に対して非明示的追加の失敗を示してもよい。他の例では、ＵＥ１０２は、ＲＲＣ接続再設定完了メッセージにおいて、例えば、１ビットを用いて、非明示的追加の失敗を示してもよい。ＵＥ１０２はさらに、非明示的追加の要求または通常追加の要求をさらに示してよい。例えば、「１」ビットは、非明示的追加の要求を意味し、「０」ビットは、通常追加の要求を意味している。さらに他の例では、ＵＥ１０２は、ＲＲＣ接続再設定完了メッセージにおいて、非明示的追加の失敗を（例えば、１ビットを用いることにより）示してもよい。そして、セルＮ１は、ＲＲＣ接続確立の後に、関連する測定を設定することによって、通常追加を開始してもよい。
【０１５０】
図１１は、本出願のある具体的な実施形態に係る、無線通信装置を示すブロック図である。無線通信装置は、本開示において図示および説明したとおり、ＵＥ、基地局、または、ネットワークノードであり得る。
【０１５１】
図１１に示すように、無線通信装置１１００は、トランシーバ１１０６、プロセッサ１１０８、メモリ１１０２、ひとつまたは複数の表示コンポーネント１１０４、および少なくとも一つのアンテナ１１１０を備える。無線通信装置１１００はまた、ＲＦスペクトル帯域モジュール、基地局通信モジュール、ネットワーク通信モジュール、およびシステム通信管理モジュール、入力／出力（Ｉ／Ｏ）ポート、Ｉ／Ｏコンポーネント、および電源（図１１には明示的に示されていない）を含み得る。これらの構成要素のそれぞれは、１つまたは複数のバス１１２４を介して、直接または間接的に、互いに通信することができる。
【０１５２】
送信機１１１６および受信機１１１８を備えるトランシーバ１１０６は、時間および／または周波数リソース分割情報を送信および／または受信するように構成され得る。いくつかの実施形態では、トランシーバ１１０６は、使用可能、使用不可能、および柔軟に使用可能なサブフレームおよびスロットフォーマットを含むが、これらに限定されない、様々なタイプのサブフレームおよびスロットで送信するように構成され得る。トランシーバ１１０６は、データおよび制御チャネルを受信するように構成され得る。
【０１５３】
無線通信装置１１００は、様々なコンピュータ可読媒体を備えることができる。コンピュータ記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ディスク記憶装置、磁気カセット、磁気テープ、磁気ディスク記憶装置または他の磁気記憶装置を含む。コンピュータ記憶媒体は、伝播データ信号を含まない。通信媒体は、典型的には、コンピュータ読み取り可能命令、データ構造、プログラムモジュール、または他のデータを、搬送波または他のトランスポート機構などの変調データ信号で具現化し、任意の情報配信媒体を含む。
【０１５４】
メモリ１１０２は、揮発性および／または不揮発性メモリの形態のコンピュータ記憶媒体を含むことができる。メモリ１１０２は、取り外し可能、取り外し不能、またはそれらの組み合わせであってもよい。例示的なメモリは、ソリッドステートメモリ、ハードドライブ、光ディスクドライブなどを含む。図１１に示すように、メモリ１１０２は、データ１１１２と、実行されると、プロセッサ１１０８に、ここで説明された様々な機能を実行させるように構成されたコンピュータ可読コンピュータ実行可能命令１１１４（例えば、ソフトウェアコード）とを格納することができる。あるいは、命令１１１４は、プロセッサ１１０８によって直接実行可能ではなく、無線通信装置１１００に（例えば、コンパイルされ実行されるときに）ここで説明される様々な機能を実行させるように構成されてもよい。
【０１５５】
プロセッサ１１０８は、インテリジェントハードウェアデバイス、例えば、中央処理装置（ＣＰＵ）、マイクロコントローラ、ＡＳＩＣなどを含み得る。プロセッサ１１０８は、メモリを含むことができる。プロセッサ１１０８は、メモリ１１０２から受信したデータ１１２０および命令１１２２、ならびにトランシーバ１１０６、ベースバンド通信モジュール、および／またはネットワーク通信モジュールを介した情報を処理することができる。プロセッサ１１０８は、アンテナ１１１０を介した送信のためにトランシーバ１１０６に送信されるべき情報を処理することができる。
【０１５６】
１つまたは複数の表示コンポーネント１１０４は、個人または他のデバイスにデータ表示を提示する。例示的な１つまたは複数の表示コンポーネント１１０４は、表示デバイス、スピーカー、印刷コンポーネント、振動コンポーネントなどを含む。
【０１５７】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態および詳細において変更を行うことができることを認識するであろう。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図１Ａ】
0006984921.tif 000004
【図１Ｂ】
0006984921.tif 000005
【図２】
0006984921.tif 000006
【図３】
0006984921.tif 000007
【図４】
0006984921.tif 000008
【図５】
0006984921.tif 000009
【図６】
0006984921.tif 000010
【図７】
0006984921.tif 000011
【図８】
0006984921.tif 000012
【図９】
0006984921.tif 000013
【図１０】
0006984921.tif 000014
【図１１】
0006984921.tif 000015